(57)【要約】【課題】各サブハウジングの積層順序を外観上明確に識別可能とすることにより、各サブハウジングの積層順序の誤りを未然防止し、かつ、積層順序のどこがどのように誤っているか瞬時に判断することができるスプライス吸収コネクタと、積層順序の正誤判定装置と正誤判定方法とを提供する。【解決手段】コネクタハウジング２０全体が、複数のサブハウジング２０Ａ，２０Ｂ…を積層してなるスプライス吸収コネクタにおいて、各サブハウジング２０Ａ，２０Ｂ…の互いに重なり合わない共通の一面２０ａに、各サブハウジング２０Ａ，２０Ｂ…の積層順位を意味し、かつ、各サブハウジング２０Ａ，２０Ｂ…ごとに立体マーク４１による順位特定部４０を設け、各サブハウジング２０Ａ，２０Ｂ…を正しい順序で積層したとき、これらサブハウジング２０Ａ，２０Ｂ…の個々の順位特定部４０が、全体で一定の規則性を有するパターンを形成する構成としてある。【選択図】図１
2005259722.tif 000002
【特許請求の範囲】
【請求項１】
二以上のサブハーネスから分岐させた電線にそれぞれ接続され、基板状接触部の上に弾性接触部を連成した端子と、積層可能な二以上のサブハウジングを有し、各サブハウジングの端子収容室に、前記基板状接触部及び前記弾性接触部に対応する開口部をそれぞれ設けたコネクタハウジングとを備え、端子収容室に前記端子を収容した各サブハウジングを積層させることにより、上段と下段の各サブハウジングの端子収容室に収容された前記端子どうしを互いに接続させるようにしたスプライス吸収コネクタであって、
各サブハウジングの互いに重なり合わない共通の一面に、各サブハウジングの積層順位を特定する順位特定部として、積層順位と同数の立体マークを並列に等間隔で設け、各サブハウジングを正しい順序で積層したとき、これらサブハウジングの個々の順位特定部が、全体で一定の規則性を有するパターンを形成するようにしたことを特徴とするスプライス吸収コネクタ。
【請求項２】
請求項１に記載のスプライス吸収コネクタにおけるサブハウジングの積層順序の正誤を判定する判定装置であって、積層した全サブハウジングに対して進退自在な検査具本体と、該検査具本体内に設けられていて、各サブハウジングの順位特定部の全ての区画に対応する進退自在な検知ピンと、各検知ピンの後方に設けられていて、各検知ピンの進退を個別に検知するスイッチとを備えていることを特徴とする積層順序の正誤判定装置。
【請求項３】
請求項１に記載のスプライス吸収コネクタにおけるサブハウジングの積層順序の正誤を判定する判定方法であって、積層した全サブハウジングに対して進退自在な検査具本体と、該検査具本体内に設けられていて、各サブハウジングの順位特定部の全ての区画に対応する進退自在な検知ピンと、各検知ピンの後方に設けられていて、各検知ピンの進退を個別に検知するスイッチとを備えている積層順序の正誤判定装置を使用し、前記検査具本体を積層されたサブハウジング側に前進させ、順位特定部の立体マークに当接した検知ピンの後退によるスイッチの動作により各サブハウジングの積層順序の正誤を判別することを特徴とする積層順序の正誤判定方法。
【発明の詳細な説明】
【技術分野】
【０００１】
本発明は、例えば、サブハーネスから分岐させた電線相互間の継ぎ目（スプライス）をなくすためのスプライス吸収コネクタに関し、特に、同一のサブハウジングを複数積層してコネクタハウジング全体を形成する構成のスプライス吸収コネクタと、前記サブハウジングの積層順序の正誤を判別する正誤判定装置と、該正誤判定装置を用いて前記サブハウジングの積層順序の正誤を判定する判定方法に関する。
【背景技術】
【０００２】
従来のジョイント吸収コネクタやスプライス吸収コネクタでは、サブハーネスから分岐させた電線の本数，接続パターンの変更に柔軟に対応することができず、車両内回路の増大や複雑化に伴ってコネクタ全体が大型化してしまうという問題を有し、このような問題点に鑑みて、本出願人は、図９〜図１０に示すようなスプライス吸収コネクタを提案した。
【特許文献１】特願平１０−３１８８８８号
【０００３】
図９は前記特許文献１のスプライス吸収コネクタを示す分解斜視図である。
また、図１０は上記スプライス吸収コネクタを組み立てた状態の断面図、図１１は、上記スプライス吸収コネクタを構成する端子の斜視図である。
【０００４】
さらに、図１２は上記スプライス吸収コネクタによるサブハーネスの接続状態を示す概念図である。
【０００５】
図９，図１０及び図１２において、スプライス吸収コネクタ１００は、二以上のサブハーネス３１，３２から分岐された電線３１ａ，３２ａに接続された複数の端子１０と、これら端子１０を収容するコネクタハウジング２０とを備えている。
【０００６】
図９に示す端子１０は、電線３１ａ，３２ａを圧接接続するための圧接部１１と、平坦な基板状接触部１２と、該基板状接触部１２の上に連成された弾性接触部１３とを有する。
【０００７】
図９及び図１０に示すように、コネクタハウジング２０は、積層可能な二つのサブハウジング２０Ａ，２０Ｂと、上段のサブハウジング２０Ａの上に取り付けられる上蓋体（蓋体）２４と、下段のサブハウジング２０Ｂの下に取り付けられる下蓋体（蓋体）２５とで構成してある。
【０００８】
サブハウジング２０Ａ，２０Ｂは、ともに同一の構成となっており、端子１０を収容する複数の端子収容室２１を有する。
【０００９】
これら端子収容室２１には、端子１０の基板状接触部１２及び弾性接触部１３にそれぞれ対応する下開口部（開口部）２１ａと上開口部（開口部）２１ｂがそれぞれ設けてある。
【００１０】
サブハウジング２０Ａの端子収容室２１には、図１２に示すサブハーネス３１から分岐された電線３１ａの端子１０が収容され、サブハウジング２０Ｂの端子収容室２１には、図１２に示すサブハーネス３２から分岐された電線３２ａの端子１０が収容される。
【００１１】
端子収容室２１に端子１０が収容されると、図１０に示すように、下開口部２１ａから基板状接触部１２が露出するとともに、上開口部２１ｂから弾性接触部１３が突出する。
【００１２】
また、図１０に示すように、サブハウジング２０Ａ，２０Ｂの両側面には、上下に係止爪２２と係止枠２３がそれぞれ一体形成してある。
【００１３】
サブハウジング２０Ａ，２０Ｂを積層すると、上段のサブハウジング２０Ａの係止枠２３が、下段のサブハウジング２０Ｂの係止爪２２にかみ合って、これらサブハウジング２０Ａ，２０Ｂが一体となる。
【００１４】
このとき、サブハウジング２０Ａの下開口部２１ａと、サブハウジング２０Ｂの上開口部２１ｂとが連通し、サブハウジング２０Ａの端子収容室２１に収容された端子１０の基板状接触部１２に、サブハウジング２０Ｂの端子収容室２１に収容された端子１０の弾性接触部１３が接触する。
【００１５】
これにより、図１２に示すサブハーネス３１，３２の電線３１ａ，３２ａどうしが互いに接続される（縦方向のスプライスが吸収される）。
【００１６】
ここで、同一サブハウジング２０Ａ又は２０Ｂの隣り合う端子収容室２１に収容される端子１０どうしを互いに接続させる場合（横方向のスプライスを吸収する場合）は、図１１に示すように、端子１０をプレス加工する過程で形成されるキャリア（連鎖帯）１４を残存させるとともに、これを曲折し、端子１０どうしの接続を行なっている。
【００１７】
図９及び図１０に戻り、上蓋体２４は、サブハウジング２０Ａの係止爪２２にかみ合う係止枠２３を有し、サブハウジング２０Ａの上に取り付けられ、端子収容室２１の上開口部２１ｂを塞ぐ。
【００１８】
これにより、サブハウジング２０Ａの上開口部２１ｂから端子１０の弾性接触部１３が露出することを防止できる。
【００１９】
一方、下蓋体２５は、サブハウジング２０Ｂの係止枠２３にかみ合う係止爪２２を有し、サブハウジング２０Ｂの下に取り付けられ、端子収容室２１の下開口部２１ａを塞ぐ。
【００２０】
これにより、サブハウジング２０Ｂの下開口部２１ａから端子１０の基板状接触部１２が露出することを防止できる。
【００２１】
このような構成からなるスプライス吸収コネクタ１００によれば、コネクタハウジング２０を構成するサブハウジング２０Ａ，２０Ｂを増減させることにより、サブハーネス３１，３２から分岐させた電線３１ａ，３２ａの本数や接続パターンの変更に柔軟に対応することができる。
【００２２】
また、スプライス吸収コネクタ１００を二以上のサブハウジング２０Ａ，２０Ｂによって構成してあるので、サブハウジング２０Ａ，２０Ｂを縦又は横の二方向に拡張することができ、車両内の回路が増大，複雑化した場合でも、スプライス吸収コネクタ１００全体の小型化を図ることができる。
【００２３】
さらに、端子１０をサブハウジング２０Ａ，２０Ｂに嵌め込む作業がサブハーネス３１，３２ごとに完結し、各サブハーネス３１，３２の完成後は、各サブハウジング２０Ａ，２０Ｂを積層するだけで、各サブハーネス３１，３２から分岐させた電線３１ａ，３２ａどうしを互いに接続させることができ、ワイヤハーネス全体の生産効率を向上させることができる。
【００２４】
これに加えて、端子１０をプレス加工する過程で形成されるキャリア１４をそのまま利用して、同一サブハウジング２０Ａ又は２０Ｂの隣り合う端子収容室２１に収容される端子１０どうしを互いに接続させることができ、また、キャリア１４を切除するか否かで、これら端子１０どうしの接続と絶縁を容易に選択することができる。
【発明の開示】
【発明が解決しようとする課題】
【００２５】
本出願人が提案したスプライス吸収コネクタは、上記のような有用な効果を奏するものであるが、各サブハウジングが同一構成であるため、これらサブハウジングを多数積層する場合は、組立時に、その積層順序を誤ってしまうことがあった（なお、上記のようにサブハウジング２０Ａ，２０Ｂが二つの場合は、いずれが上段，下段でも、各端子１０が同様に接続されるので全く問題とならない）。
【００２６】
また、これらサブハウジングの積層順序に誤りがあることは、スプライス吸収コネクタを導通検査することにより発見可能であるが、このような導通検査の結果から、各サブハウジングの積層順序のどこがどのように誤っているのかまでを、具体的に判断することができず、誤りの修正に手間と時間を要するという不都合が生じた。
【００２７】
本発明は、上記不都合に鑑みてなされたものであり、各サブハウジングの積層順序を外観上明確に識別可能とすることにより、各サブハウジングの積層順序の誤りを未然に防止し、かつ、積層順序のどこがどのように誤っているか瞬時に判断することができるスプライス吸収コネクタと、積層されたサブハウジングの積層順序の正誤を確実に判別することができる正誤判定方法及び装置を提供することを目的とする。
【課題を解決するための手段】
【００２８】
上記目的を達成するために、請求項１に係るコンプライス吸収コネクタの発明は、二以上のサブハーネスから分岐させた電線にそれぞれ接続され、基板状接触部の上に弾性接触部を連成した端子と、積層可能な二以上のサブハウジングを有し、各サブハウジングの端子収容室に、前記基板状接触部及び前記弾性接触部に対応する開口部をそれぞれ設けたコネクタハウジングとを備え、端子収容室に前記端子を収容した各サブハウジングを積層させることにより、上段と下段の各サブハウジングの端子収容室に収容された前記端子どうしを互いに接続させるようにしたスプライス吸収コネクタであって、
各サブハウジングの互いに重なり合わない共通の一面に、各サブハウジングの積層順位を特定する順位特定部として、積層順位と同数の立体マークを並列に等間隔で設け、各サブハウジングを正しい順序で積層したとき、これらサブハウジングの個々の順位特定部が、全体で一定の規則性を有するパターンを形成するようにしたことを特徴とする。
【００２９】
このような構成によれば、スプライス吸収コネクタの組立時において、各サブハウジングの一面に設けた立体マーク（順位特定部）に従って、各サブハウジングを積層することにより、その積層順序の誤りを未然防止することができる。
【００３０】
そして、各サブハウジングを正しい順序で積層したとき、これらサブハウジングの個々の順位特定部が、全体で一定の規則性を有するパターンを形成するから、正誤の判別が容易である。
【００３１】
特に、前記順位特定部を、各サブハウジングの前記一面に、その積層順位と同数の立体マークを並列に等間隔で設けた構成としてある。
【００３２】
このような構成によれば、スプライス吸収コネクタの組立時において、各サブハウジングの一面に設けた順位特定部（立体マークの数と積層順位の対応など）に従って、各サブハウジングを積層することにより、その積層順序の誤りを未然防止することができる。
【００３３】
また、各サブハウジングを正しい順序で積層したとき、これらサブハウジングの順位特定部が、全体で一定の規則性を有するパターンを形成するので、作業者は、このパターンを一見するだけで積層順序の正誤、及び、積層順序のどこがどのように誤っているか瞬時に判断することができる。
【００３４】
すなわち、順位特定部を、各サブハウジングの積層順位と同数の立体マークとした場合、各サブハウジングを正しい順序で積層すると、各順位特定部の立体マークが全体で、各サブハウジングごとに一つずつ増えていくといった一定の規則性を有する立体的な形状パターンを形成する。
【００３５】
請求項２に係る積層順序の正誤判定装置の発明は、請求項１に記載のスプライス吸収コネクタにおけるサブハウジングの積層順序の正誤を判定する判定装置であって、積層した全サブハウジングに対して進退自在な検査具本体と、該検査具本体内に設けられていて、各サブハウジングの順位特定部の全ての区画に対応する進退自在な検知ピンと、各検知ピンの後方に設けられていて、各検知ピンの進退を個別に検知するスイッチとを備えていることを特徴とする。
【００３６】
このような構成によれば、検査具本体を各サブハウジング側に前進させると、各順位特定部の立体マークに当接した検知ピンのみが後退して、スイッチを押下にする。このときの各スイッチの動作に基づいて、各サブハウジングの積層順序の正誤を判別することができる。
【００３７】
請求項３に係る積層順序の正誤判定方法の発明は、請求項１に記載のスプライス吸収コネクタにおけるサブハウジングの積層順序の正誤を判定する判定方法であって、積層した全サブハウジングに対して進退自在な検査具本体と、該検査具本体内に設けられていて、各サブハウジングの順位特定部の全ての区画に対応する進退自在な検知ピンと、各検知ピンの後方に設けられていて、各検知ピンの進退を個別に検知するスイッチとを備えている積層順序の正誤判定装置を使用し、前記検査具本体を積層されたサブハウジング側に前進させ、順位特定部の立体マークに当接した検知ピンの後退によるスイッチの動作により各サブハウジングの積層順序の正誤を判別することを特徴とする。
【００３８】
この正誤判定方法によれば、前記正誤判定装置を用いて、検査具本体を各サブハウジング側に前進させると、各順位特定部の立体マークに当接した検知ピンのみが後退して、スイッチを押し下げ、このときの各スイッチの動作に基づいて、各サブハウジングの積層順序の正誤を簡単且つ確実に判別することができる。
【００３９】
なお、前記各サブハウジングの積層順序を目視的に判定するのであれば、前記順位特定部を、各サブハウジングごとに、その一面の色彩を相違させた構成とすることもでき、この場合には、各サブハウジングを正しい順序で積層すると、各順位特定部の色彩が全体で、あらかじめ定められた順番で並ぶ（例えば、赤→緑→青）一定の規則性を有する色彩パターンを形成する。
【００４０】
作業者は、このような立体的又は平面的な形状パターン、あるいは、色彩パターンを目視し、一定の規則性の有無を感じ取るだけで、積層順序の正誤、及び、積層順序のどこがどのように誤っているか瞬時に判断することができる。
【００４１】
この場合においても、好ましくは、前記順位特定部を、各サブハウジングの前記一面の一部又は全部を、構造的又は概念的にその積層段数と同数に区画し、これら区画のうち、各サブハウジングの積層順位と同じ順位の区画を、これ以外の区画と外観上相違させた構成とする。
【００４２】
例えば、前記順位特定部における各区画のうち、各サブハウジングの積層順位と同じ順位の前記区画に、その積層順位と同じ番号を付した構成とすることもできる。
【００４３】
このような構成によれば、各サブハウジングに付された番号に従って、これらサブハウジングを積層することにより、その積層順序の誤りを未然防止することができる。
【００４４】
また、各サブハウジングを正しい順序で積層すると、各順位特定部の番号が積層した各サブハウジングの対角線上に斜めに並んで、全体として一定の規則性を有するパターンを形成する。
【００４５】
例えば、前記順位特定部における各区画のうち、各サブハウジングの積層順位と同じ順位の前記区画に、立体又は平面マークを設けた構成とし、あるいは、前記順位特定部における各区画のうち、各サブハウジングの積層順位と同じ順位の前記区画以外に、立体又は平面マークを設けた構成としてもよい。
【００４６】
このような構成によれば、各サブハウジングの順位特定部における立体又は平面マークの位置、あるいは、立体又は平面マークを設けていない区画の位置に基づいて、各サブハウジングの積層順位を識別でき、その積層順序の誤りを未然防止することができる。
【００４７】
また、各サブハウジングを正しい順序で積層すると、各順位特定部における立体又は平面マーク、あるいは、立体又は平面マークを設けていない区画が、積層した各サブハウジングの対角線上に斜めに並んで、全体として一定の規則性を有するパターンを形成する。
【００４８】
例えば、前記順位特定部における各区画のうち、各サブハウジングの積層順位と同じ順位の前記区画に、彩色を施した構成とし、又は、前記順位特定部における各区画のうち、各サブハウジングの積層順位と同じ順位の前記区画以外に、彩色を施した構成としてもよい。
【００４９】
このような構成によれば、各サブハウジングの順位特定部における彩色を施した区画の位置、あるいは、彩色を施していない区画の位置に基づいて、各サブハウジングの積層順位を識別でき、各サブハウジングの積層順序の誤りを未然防止することができる。
【００５０】
また、各サブハウジングを正しい順序で積層すると、各順位特定部における彩色を施した区画、あるいは、彩色を施していない区画が、積層した各サブハウジングの対角線上に斜めに並んで、全体として一定の規則性を有するパターンを形成する。
【発明の効果】
【００５１】
本発明のスプライス吸収コネクタによれば、スプライス吸収コネクタの組立時において、各サブハウジングの一面に設けた立体マーク（順位特定部）に従って、各サブハウジングを積層することにより、その積層順序の誤りを未然防止することができる。
【００５２】
そして、各サブハウジングを正しい順序で積層したとき、これらサブハウジングの個々の順位特定部が、全体で一定の規則性を有するパターンを形成するから、正誤の判別が容易である。
【００５３】
特に、前記順位特定部を、各サブハウジングの前記一面に、その積層順位と同数の立体マークを並列に等間隔で設けた構成としてあるから、スプライス吸収コネクタの組立時において、各サブハウジングの一面に設けた順位特定部（立体マークの数と積層順位の対応など）に従って、各サブハウジングを積層することにより、その積層順序の誤りを未然防止することができる。
【００５４】
また、各サブハウジングを正しい順序で積層したとき、これらサブハウジングの順位特定部が、全体で一定の規則性を有するパターンを形成するので、作業者は、このパターンを一見するだけで積層順序の正誤、及び、積層順序のどこがどのように誤っているか瞬時に判断することができる。
【００５５】
本発明の積層順序の正誤判定装置によれば、検査具本体を各サブハウジング側に前進させると、各順位特定部の立体マークに当接した検知ピンのみが後退して、スイッチを押し下げ、このときの各スイッチの動作に基づいて、各サブハウジングの積層順序の正誤を容易に判別することができる。
【００５６】
本発明の積層順序の正誤判定方法によれば、前記正誤判定装置を用いて、検査具本体を各サブハウジング側に前進させると、各順位特定部の立体マークに当接した検知ピンのみが後退して、スイッチを押し下げ、このときの各スイッチの動作に基づいて、各サブハウジングの積層順序の正誤を簡単且つ確実に判別することができる。
【発明を実施するための最良の形態】
【００５７】
なお、本発明のスプライス吸収コネクタは、上述した図１０に示すスプライス吸収コネクタを改良したものであり、以下に説明する実施形態において、図１０に示すスプライス吸収コネクタと同一箇所については、同一符号を付して詳細な説明は省略する。
【００５８】
図１及び図２（ａ）において、本実施形態のスプライス吸収コネクタ１は、六つのサブハウジング２０Ａ，２０Ｂ，２０Ｃ，２０Ｄ，２０Ｅ，２０Ｆを備え、図２（ａ）に示すように、上段側から各サブハウジング２０Ａ〜２０Ｆが順序よく積層された場合には各段のサブハウジングの端子どうし（図示しない）が正規に接続される状態を示している。そして、各サブハウジング２０Ａ〜２０Ｆの互いに重なり合わない共通の一面（本実施形態の場合は正面）２０ａ…に、それぞれ順位特定部４０を設けた構成となっている。
【００５９】
順位特定部４０は、各サブハウジング２０Ａ〜２０Ｆごとに外観上位置が相違し、これらサブハウジング２０Ａ〜２０Ｆのあらかじめ定められた積層順位を意味するものである。
【００６０】
本実施形態における順位特定部４０は、各サブハウジング２０Ａ〜２０Ｆの一面２０ａを、概念的にその積層段数（六段）と同数の、４０ａ，４０ｂ，４０ｃ，４０ｄ，４０ｅ，４０ｆの六つに区画し、これら区画４０ａ〜４０ｆのうち、各サブハウジング２０Ａ〜２０Ｆの積層順位と同じ順位の区画以外に、凸状の立体マーク４１，４１，４１，４１，４１を設けた構成としてある。
【００６１】
換言すれば、各サブハウジング２０Ａ〜２０Ｆの積層順位と同じ順位の区画４０ａ〜４０ｆのみ、立体マーク４１を設けないことによって、各サブハウジング２０Ａ〜２０Ｆの積層順位をそれぞれ意味付けしている。
【００６２】
例えば、一段目のサブハウジング２０Ａの順位特定部４０では、一番目の区画４０ａに立体マーク４１を設けず、また、二段目のサブハウジング２０Ｂの順位特定部４０では、二番目の区画４０ｂに立体マーク４１を設けていない。
【００６３】
このような構成からなる本実施形態のスプライス吸収コネクタ１によれば、各サブハウジング２０Ａ〜２０Ｆの順位特定部４０における立体マーク４１を設けていない区画４０ａ〜４０ｆの位置に基づいて、各サブハウジング２０Ａ〜２０Ｆの積層順位を識別でき、各サブハウジング２０Ａ〜２０Ｆの積層順序の誤りを未然防止することができる。
【００６４】
また、図２（ａ）に示すように、各サブハウジング２０Ａ〜２０Ｆを正しい順序で積層すると、各順位特定部４０における立体マーク４１を設けていない区画４１ａ〜４１ｆが、積層した各サブハウジング２０Ａ〜２０Ｆの対角線上に斜めに並んで、全体として一定の規則性を有するパターンを形成する。
【００６５】
一方、図２（ｂ）に示すように、各サブハウジング２０Ａ〜２０Ｆの積層順序を誤ると、各順位特定部４０における立体マーク４１を設けていない区画４０ａ〜４０ｆが規則的に並ばず、違和感を感じる不規則なパターンを形成する。
【００６６】
したがって、作業者は、このような立体的な形状パターンを目視し、一定の規則性の有無を感じ取るだけで、各サブハウジング２０Ａ〜２０Ｆの積層順序の正誤、及び、積層順序のどこがどのように誤っているか瞬時に判断することができる。
【００６７】
しかし、本発明においては、各サブハウジング２０Ａ〜２０Ｆの積層順序の正誤を正誤判定装置によって判別するようにしたものである。この正誤判定装置は、図３に示す検査具９０によるものである。
【００６８】
同図において、検査具９０は、積層した各サブハウジング２０Ａ〜２０Ｆに対して進退自在な検査具本体９１を有する。
【００６９】
該検査具本体９１の内部には、各サブハウジング２０Ａ〜２０Ｆの順位特定部４０の全ての区画４０ａ〜４０ｆ（６×６＝３６区画、図２（ａ）参照）に対応する、進退可能な検知ピン９２…が収容してある。
【００７０】
また、各検知ピン９２の後方には、各検知ピン９２の進退を個別に検知するスイッチ９３…が取り付けてある。
【００７１】
このような検査具９０によれば、レバー９４操作によって、検査具本体９１を各サブハウジング２０Ａ〜２０Ｆ側に前進させると、各順位特定部４０の立体マーク４１に当接した検知ピン９２のみが後退して、スイッチ９３を押下にする。このときの各スイッチ９３の動作に基づいて、各サブハウジング２０Ａ〜２０Ｆの積層順序の正誤を判別することができるのである。
【００７２】
次に、本発明の第二実施形態に係るスプライス吸収コネクタについて、図４（ａ），（ｂ）を参照しつつ説明する。
【００７３】
図４（ａ），（ｂ）は本発明の第二実施形態に係るスプライス吸収コネクタを構成する各サブハウジングの正面図である。
【００７４】
図４（ａ）において、本実施形態では、順位特定部４０における各サブハウジング２０Ａ〜２０Ｆの積層順位と同じ順位の区画４０ａ〜４０ｆのみ、立体マーク４１を設けることによって、各サブハウジング２０Ａ〜２０Ｆの積層順位をそれぞれ意味付けしている。すなわち、順位特定部４０の構成が、上述した第一実施形態と逆の関係になっている。
【００７５】
上記構成によれば、各サブハウジング２０Ａ〜２０Ｆの順位特定部４０における立体マーク４１の位置に基づいて、各サブハウジング２０Ａ〜２０Ｆの積層順位を識別でき、各サブハウジング２０Ａ〜２０Ｆの積層順序の誤りを未然防止することができる。
【００７６】
また、図４（ａ）に示すように、各サブハウジング２０Ａ〜２０Ｆを正しい順序で積層すると、各順位特定部４０における立体マーク４１が、積層した各サブハウジング２０Ａ〜２０Ｆの対角線上に斜めに並んで、全体として一定の規則性を有するパターンを形成する。
【００７７】
一方、図４（ｂ）に示すように、各サブハウジング２０Ａ〜２０Ｆの積層順序を誤ると、各順位特定部４０における立体マーク４１が規則的に並ばず、違和感を感じる不規則なパターンを形成する。
【００７８】
このような立体的な形状パターンの規則性の有無を目視等によって判断することにより、第一実施形態と同様、各サブハウジング２０Ａ〜２０Ｆの積層順序の正誤、及び、積層順序のどこがどのように誤っているか瞬時に判断することができる。
【００７９】
次に、本発明の第三実施形態に係るスプライス吸収コネクタについて、図５（ａ），（ｂ）を参照しつつ説明する。
【００８０】
図５（ａ），（ｂ）は本発明の第三実施形態に係るスプライス吸収コネクタを構成する各サブハウジングの正面図である。
【００８１】
図５（ａ）において、本実施形態では、順位特定部４０を、各サブハウジング２０Ａ〜２０Ｆの一面２０ａに、その積層順位と同数の立体マーク４１を並列に等間隔で設けた構成としてある。
【００８２】
このような構成によれば、各サブハウジング２０Ａ〜２０Ｆの順位特定部４０における立体マーク４１の数に基づいて、各サブハウジング２０Ａ〜２０Ｆの積層順位を識別でき、各サブハウジング２０Ａ〜２０Ｆの積層順序の誤りを未然防止することができる。
【００８３】
また、図５（ａ）に示すように、各サブハウジング２０Ａ〜２０Ｆを正しい順序で積層すると、各順位特定部４０の立体マーク４１が全体で、各サブハウジング２０Ａ〜２０Ｆごとに一つずつ増えていくといった一定の規則性を有する立体的な形状パターンを形成する。
【００８４】
一方、図５（ｂ）に示すように、各サブハウジング２０Ａ〜２０Ｆの積層順序を誤ると、立体マーク４１全体の規則性が失われ、違和感を感じる不規則なパターンを形成する。
【００８５】
このような立体的な形状パターンの規則性の有無を目視等によって判断することもでき、第一実施形態と同様、各サブハウジング２０Ａ〜２０Ｆの積層順序の正誤、及び、積層順序のどこがどのように誤っているか瞬時に判断することができる。
【００８６】
図６（ａ），（ｂ），（ｃ）はスプライス吸収コネクタの他の構成例であり、図６（ａ），（ｂ），（ｃ）はスプライス吸収コネクタを構成する各サブハウジングの正面図である。
【００８７】
図６（ａ），（ｂ），（ｃ）において、本実施形態のスプライス吸収コネクタは、各サブハウジング２０Ａ〜２０Ｆが、上述した第一，第二及び第三実施形態における順位特定部４０の立体マーク４１の代わりに、所定の区画５０ａ，５０ｂ，５０ｃ，５０ｄ，５０ｅ，５０ｆに平面マーク５１を設けた構成の順位特定部５０を備えている。
【００８８】
このような構成によっても、上述した第一，第二及び第三実施形態と同様、各サブハウジング２０Ａ〜２０Ｆの積層順序を外観上明確に識別可能とすることができ、各サブハウジング２０Ａ〜２０Ｆの積層順序の誤りを未然防止し、かつ、積層順序のどこがどのように誤っているか瞬時に判断することができる。
【００８９】
図７（ａ），（ｂ），（ｃ）はスプライス吸収コネクタの更に他の構成例であり、図７（ａ），（ｂ），（ｃ）はスプライス吸収コネクタを構成する各サブハウジングの正面図である。図７（ａ），（ｂ），（ｃ）において、スプライス吸収コネクタは、各サブハウジング２０Ａ〜２０Ｆが、上述した第一，第二及び第三実施形態における順位特定部４０の立体マーク４１の代わりに、所定の区画６０ａ，６０ｂ，６０ｃ，６０ｄ，６０ｅ，６０ｆに彩色６１を施した構成の順位特定部６０を備えている。
【００９０】
このような構成によっても、上述した第一，第二及び第三実施形態と同様、各サブハウジング２０Ａ〜２０Ｆの積層順序を外観上明確に識別可能とすることにより、各サブハウジング２０Ａ〜２０Ｆの積層順序の誤りを未然防止し、かつ、積層順序のどこがどのように誤っているか瞬時に判断することができる。
【００９１】
図８はスプライス吸収コネクタの更に他の構成例を示しており、各サブハウジングの正面図が示されている。図８に示すスプライス吸収コネクタは、各サブハウジング２０Ａ〜２０Ｆの一面２０ａを、概念的にその積層段数（六段）と同数の、７０ａ，７０ｂ，７０ｃ，７０ｄ，７０ｅ，７０ｆの六つに区画し、これら区画７０ａ〜７０ｆのうち、各サブハウジング２０Ａ〜２０Ｆの積層順位と同じ順位の区画に、「１」〜「６」の番号７１を付した構成の順位特定部７０を備えている。
【００９２】
このような構成によれば、各サブハウジング２０Ａ〜２０Ｆに付された「１」〜「６」の番号に従って、これらサブハウジング２０Ａ〜２０Ｆを積層することにより、その積層順序の誤りを未然防止することができる。
【００９３】
また、各サブハウジング２０Ａ〜２０Ｆを正しい順序で積層すると、各順位特定部の「１」〜「６」の番号７１が、積層した各サブハウジング２０Ａ〜２０Ｆの対角線上に斜めに並んで、全体として一定の規則性を有するパターンを形成する。
【図面の簡単な説明】
【００９４】
【図１】本発明の実施形態に係るスプライス吸収コネクタを示す斜視図である。
【図２】同図（ａ），（ｂ）は上記スプライス吸収コネクタを構成する各サブハウジングの正面図である。
【図３】サブハウジングの積層順序の正誤を判別する正誤判定装置の検査具を示す部分断面図である。
【図４】同図（ａ），（ｂ）は本発明の第二実施形態に係るスプライス吸収コネクタを構成する各サブハウジングの正面図である。
【図５】同図（ａ），（ｂ）は本発明の第三実施形態に係るスプライス吸収コネクタを構成する各サブハウジングの正面図である。
【図６】同図（ａ），（ｂ），（ｃ）はスプライス吸収コネクタの他の構成例を示す各サブハウジングの正面図である。
【図７】同図（ａ），（ｂ），（ｃ）はスプライス吸収コネクタの更に他の構成例を示すを各サブハウジングの正面図である。
【図８】スプライス吸収コネクタの更に他の構成例を示す各サブハウジングの正面図である。
【図９】本出願人が提案した特願平１０−３１８８８８号（特許文献１）のスプライス吸収コネクタを示す分解斜視図である。
【図１０】特願平１０−３１８８８８号（特許文献１）のスプライス吸収コネクタを組み立てた状態の断面図である。
【図１１】特願平１０−３１８８８８号（特許文献１）のスプライス吸収コネクタを構成する端子の斜視図である。
【図１２】特願平１０−３１８８８８号（特許文献１）のスプライス吸収コネクタによるサブハーネスの接続状態を示す概念図である。
【符号の説明】
【００９５】
１                            スプライス吸収コネクタ
２０Ａ〜２０Ｆ                サブハウジング
２０ａ                        一面
４０，５０，６０，７０，８０  順位特定部
４０ａ〜４０ｆ                区画
５０ａ〜５０ｆ                区画
６０ａ〜６０ｆ                区画
７０ａ〜７０ｆ                区画
４１                          立体マーク
５１                          平面マーク
６１                          彩色
７１                          番号
【図１】
2005259722.tif 000003
【図２】
2005259722.tif 000004
【図３】
2005259722.tif 000005
【図４】
2005259722.tif 000006
【図５】
2005259722.tif 000007
【図６】
2005259722.tif 000008
【図７】
2005259722.tif 000009
【図８】
2005259722.tif 000010
【図９】
2005259722.tif 000011
【図１０】
2005259722.tif 000012
【図１１】
2005259722.tif 000013
【図１２】
2005259722.tif 000014